(57)【要約】【課題】ユーザーの利便性を高める。【解決手段】無線通信システムは、第１の無線接続または第２の無線接続に対応する第１の無線通信装置と、前記第１の無線接続に用いられる第１識別情報および前記第２の無線接続に用いられる第２識別情報を含むネットワーク識別情報により識別されるアクセスポイントとして動作する第２の無線通信装置と、を含み、前記第１の無線通信装置は、前記ネットワーク識別情報に含まれる前記第１識別情報または前記第２識別情報に基づいて前記第２の無線通信装置と無線接続する。【選択図】図１
2018007148.tif 000002
【特許請求の範囲】
【請求項１】
第１の無線接続または第２の無線接続に対応する第１の無線通信装置と、
前記第１の無線接続に用いられる第１識別情報および前記第２の無線接続に用いられる第２識別情報を含むネットワーク識別情報により識別されるアクセスポイントとして動作する第２の無線通信装置と、を含み、
前記第１の無線通信装置は、前記ネットワーク識別情報に含まれる前記第１識別情報または前記第２識別情報に基づいて前記第２の無線通信装置と無線接続することを特徴とする無線通信システム。
【請求項２】
前記ネットワーク識別情報は、前記第１の無線接続に対応するネットワーク識別情報の記述形式における自由記述部分に前記第２識別情報が記述され、かつ前記第２の無線接続に対応するネットワーク識別情報の記述形式における自由記述部分に前記第１識別情報が記述されていることを特徴とする請求項１に記載の無線通信システム。
【請求項３】
前記第１の無線通信装置は、外部の無線中継装置に接続するための接続設定情報を、前記第２の無線通信装置との無線接続により前記第２の無線通信装置へ送信し、
前記第２の無線通信装置は、前記第１の無線通信装置から送信された前記接続設定情報に基づいて前記無線中継装置を介して前記第１の無線通信装置と無線通信する、ことを特徴とする請求項１または請求項２に記載の無線通信システム。
【請求項４】
前記第２の無線通信装置は、前記無線中継装置との接続が未設定である場合に、前記第１識別情報および前記第２識別情報を含むネットワーク識別情報により識別されるアクセスポイントとして動作することを特徴とする請求項３に記載の無線通信システム。
【請求項５】
前記第１の無線通信装置は、前記第１の無線接続および前記第２の無線接続に対応している場合に、前記第１識別情報を含む前記ネットワーク識別情報を探索する第１の探索を実行し、当該第１の探索により、前記第１識別情報を含む前記ネットワーク識別情報を１つ検出した場合に、当該検出した前記ネットワーク識別情報によって識別される前記第２の無線通信装置と無線接続し、前記第１の探索により、前記第１識別情報を含む前記ネットワーク識別情報を複数検出した場合には、前記第２識別情報を含む前記ネットワーク識別情報を探索する第２の探索を実行し、当該第２の探索により検出した前記第２識別情報を含む前記ネットワーク識別情報を所定の表示部にリスト表示させる、ことを特徴とする請求項１〜請求項４のいずれかに記載の無線通信システム。
【請求項６】
前記第１の無線通信装置は、前記第１の無線接続および前記第２の無線接続に対応している場合に、前記第１識別情報および前記第２識別情報を含むネットワーク識別情報を検出したら、前記第１の無線接続および前記第２の無線接続のうちセキュリティの程度が相対的に高い接続として予め定められている方の接続により、前記検出した前記ネットワーク識別情報によって識別される前記第２の無線通信装置と無線接続することを特徴とする請求項１〜請求項４のいずれかに記載の無線通信システム。
【請求項７】
第１の無線接続に用いられる第１識別情報と第２の無線接続に用いられる第２識別情報とを含むネットワーク識別情報により識別されるアクセスポイントとして動作することを特徴とする無線通信装置。
【発明の詳細な説明】
【技術分野】
【０００１】
本発明は、無線通信システムおよび無線通信装置に関する。
【背景技術】
【０００２】
無線通信装置は、無線ＬＡＮ（Local Area Network）に参加するには、当該無線ＬＡＮの中継装置（ルーターあるいはアクセスポイントと呼ばれる機器）に接続するための接続設定を行う必要がある。
【０００３】
ここで、中継装置を介さずに他の通信機器と無線通信するための仮通信路を形成する通信部を備え、当該通信部は、前記中継装置を介するインフラストラクチャモードによって前記他の通信機器と通信するために、前記中継装置に接続するための接続設定情報を前記仮通信路を介して前記他の通信機器に送信する、無線通信装置が知られている（特許文献１参照）。
【先行技術文献】
【特許文献】
【０００４】
【特許文献１】特開２０１３‐２１９４３０号公報
【発明の概要】
【発明が解決しようとする課題】
【０００５】
ある無線通信装置が、所定のプロトコル（通信手順）に従って他の無線通信装置に対して前記接続設定に必要な接続設定情報の送信を試みる場面を想定する。
この場合、前記他の無線通信装置が前記プロトコルに対応していなければ、前記他の無線通信装置は前記接続設定情報を得ることができない。そのため、前記他の無線通信装置における前記接続設定の実現のために、更なる改善の余地があったと言える。
【０００６】
本発明は上述した課題に鑑みてなされたものであり、複数の異なる無線接続に対応することでユーザーの利便性を高める無線通信システムおよび無線通信装置を提供する。
【課題を解決するための手段】
【０００７】
本発明の態様の１つは、無線通信システムは、第１の無線接続または第２の無線接続に対応する第１の無線通信装置と、前記第１の無線接続に用いられる第１識別情報および前記第２の無線接続に用いられる第２識別情報を含むネットワーク識別情報により識別されるアクセスポイントとして動作する第２の無線通信装置と、を含み、前記第１の無線通信装置は、前記ネットワーク識別情報に含まれる前記第１識別情報または前記第２識別情報に基づいて前記第２の無線通信装置と無線接続する。
【０００８】
当該構成によれば、第２の無線通信装置は、第１識別情報および第２識別情報を含むネットワーク識別情報により識別されるアクセスポイントとして動作する。従って、第１の無線通信装置は、第１の無線接続に対応していれば、前記ネットワーク識別情報に含まれる第１識別情報に基づいて第２の無線通信装置と無線接続することができ、第２の無線接続に対応していれば、前記ネットワーク識別情報に含まれる第２識別情報に基づいて第２の無線通信装置と無線接続することができる。このように、第２の無線通信装置を複数の異なる無線接続に対応させることにより、第１の無線通信装置と第２の無線通信装置との無線接続を利用するユーザーの利便性が向上する。
【０００９】
本発明の態様の１つは、前記ネットワーク識別情報は、前記第１の無線接続に対応するネットワーク識別情報の記述形式における自由記述部分に前記第２識別情報が記述され、かつ前記第２の無線接続に対応するネットワーク識別情報の記述形式における自由記述部分に前記第１識別情報が記述されているとしてもよい。
当該構成によれば、第２の無線通信装置（アクセスポイント）のネットワーク識別情報に実質的に２種類のネットワーク識別情報の役割を持たせることができる。
【００１０】
本発明の態様の１つは、前記第１の無線通信装置は、外部の無線中継装置に接続するための接続設定情報を、前記第２の無線通信装置との無線接続により前記第２の無線通信装置へ送信し、前記第２の無線通信装置は、前記第１の無線通信装置から送信された前記接続設定情報に基づいて前記無線中継装置を介して前記第１の無線通信装置と無線通信するとしてもよい。
当該構成によれば、第１の無線通信装置と第２の無線通信装置との無線接続を利用して第２の無線通信装置に無線中継装置へ接続するための接続設定をさせることが容易になり、ユーザーの利便性が向上する。
【００１１】
本発明の態様の１つは、前記第２の無線通信装置は、前記無線中継装置との接続が未設定である場合に、前記第１識別情報および前記第２識別情報を含むネットワーク識別情報により識別されるアクセスポイントとして動作するとしてもよい。
当該構成によれば、第２の無線通信装置は、無線中継装置との接続が未設定である場合に、一時的に前記アクセスポイントとして振る舞い、その結果、第１の無線通信装置から受信した前記接続設定情報に基づいて、無線中継装置に接続するための接続設定を行うことができる。
【００１２】
前記第１の無線通信装置は、前記第１の無線接続および前記第２の無線接続のうちいずれか一方に対応していることもあれば、前記第１の無線接続および前記第２の無線接続のいずれにも対応していることもある。そこで、前記第１の無線通信装置は、前記第１の無線接続および前記第２の無線接続に対応している場合に、前記第１識別情報を含む前記ネットワーク識別情報を探索する第１の探索を実行し、当該第１の探索により、前記第１識別情報を含む前記ネットワーク識別情報を１つ検出した場合に、当該検出した前記ネットワーク識別情報によって識別される前記第２の無線通信装置と無線接続し、前記第１の探索により、前記第１識別情報を含む前記ネットワーク識別情報を複数検出した場合には、前記第２識別情報を含む前記ネットワーク識別情報を探索する第２の探索を実行し、当該第２の探索により検出した前記第２識別情報を含む前記ネットワーク識別情報を所定の表示部にリスト表示させる、としてもよい。
当該構成によれば、第１の無線接続および第２の無線接続のいずれにも対応している第１の無線通信装置による第２の無線通信装置への無線接続の具体的工程の一つを提示することができる。
【００１３】
あるいは、前記第１の無線通信装置は、前記第１の無線接続および前記第２の無線接続に対応している場合に、前記第１識別情報および前記第２識別情報を含むネットワーク識別情報を検出したら、前記第１の無線接続および前記第２の無線接続のうちセキュリティの程度が相対的に高い接続として予め定められている方の接続により、前記検出した前記ネットワーク識別情報によって識別される前記第２の無線通信装置と無線接続するとしてもよい。
当該構成によれば、第１の無線接続および第２の無線接続のいずれにも対応している第１の無線通信装置による第２の無線通信装置へのより安全な無線接続の具体的工程の一つを提示することができる。
【００１４】
本発明の技術的思想は、無線通信システムというカテゴリー以外によっても実現される。例えば、当該システムを構成する個々の無線通信装置を発明として捉えることが可能である。また、システムや、各無線通信装置によって実現される各処理を、それぞれ方法の発明として捉えたり、各方法をハードウェア（システムや各無線通信装置）に実行させる各プログラムの発明や、各プログラムを記憶したコンピューター読み取り可能な記憶媒体等を、夫々に発明として捉えることができる。
【図面の簡単な説明】
【００１５】
【図１】システムの構成を簡易的に示す図。
【図２】第１設定プロトコルに従った処理を示すフローチャート。
【図３】第２設定プロトコルに従った処理を示すフローチャート。
【発明を実施するための形態】
【００１６】
以下、各図を参照しながら本発明の実施形態を説明する。なお各図は、本実施形態を説明するための例示に過ぎない。
１．システムの概略的説明：
図１は、本実施形態にかかるシステム１０を簡易的に示している。システム１０は、例えば、端末２０または端末３０、更にはデバイス４０を含む。端末２０、端末３０およびデバイス４０はそれぞれが、無線中継装置であるルーター５０が管理する無線ＬＡＮへ参加する無線通信機能を有する無線通信装置である。端末２０，３０は、第１の無線通信装置の具体例に該当し、デバイス４０は、第２の無線通信装置の具体例に該当する。
【００１７】
ルーター５０は、無線ＬＡＮを外部のネットワークＮＷに接続する。ネットワークＮＷは、インターネットを含んでいる。無線通信装置（２０，３０，４０）は、ルーター５０を介してネットワークＮＷ上のサーバー（例えば、クラウドサーバー）６０へ接続することも可能である。システム１０の構成の少なくとも一部を、無線通信システムと呼ぶ。図１内の破線の各矢印は、本実施形態において実現されている或いは実現される可能性のある無線通信装置（２０，３０，４０）やルーター５０間での無線接続を示している。
【００１８】
端末２０，３０は、例えば、パーソナルコンピューター（ＰＣ）、スマートフォン、タブレット型端末、携帯電話、あるいはそれらと同様の性能を有する端末によって実現される。端末２０は、制御部２１、表示部２３、無線通信インターフェイス（Ｉ／Ｆ）２４等を含んで構成される。制御部２１は、例えば、ＣＰＵ、ＲＯＭ、ＲＡＭ等を有するＩＣや、その他の記憶媒体等により構成される。制御部２１では、ＣＰＵが、ＲＯＭ等に保存されたプログラムに従った演算処理を、ＲＡＭ等をワークエリアとして用いて実行することにより、端末２０の挙動を制御する。制御部２１には、このようなプログラムの一種としての第１アプリケーション２２が搭載（インストール）されている。
【００１９】
表示部２３は、視覚的情報を表示するための手段であり、例えば、液晶ディスプレイ（ＬＣＤ）や、有機ＥＬディスプレイ等により構成される。表示部２３は、ディスプレイと、当該ディスプレイを駆動するための駆動回路とを含む構成であってもよい。むろん、表示部２３は、ユーザーの操作を受け付けるためのタッチパネルとしても機能し得る。
【００２０】
無線通信Ｉ／Ｆ２４は、例えば、Ｗｉ‐Ｆｉ方式による無線通信を実現する。Ｗｉ‐Ｆｉ方式は、無線ＬＡＮの規格であるＩＥＥＥ８０２．１１の規格群に準拠した無線通信方式であり、Ｗｉ‐Ｆｉ  Ａｌｌｉａｎｃｅによって認証されている。また、無線通信Ｉ／Ｆ２４において、通信データの暗号化及び復号化が行われるとしてもよい。
【００２１】
端末３０は、制御部３１、表示部３３、無線通信Ｉ／Ｆ３４等を含んで構成される。端末３０の基本的な構成は、上述した端末２０に関する説明において、制御部２１を制御部３１に、表示部２３を表示部３３に、無線通信Ｉ／Ｆ２４を無線通信Ｉ／Ｆ３４に、第１アプリケーション２２を第２アプリケーション３２に、それぞれ置き換えて理解すればよい。
【００２２】
第１アプリケーション２２は、第１設定プロトコルに従って被設定クライアントにおける無線ＬＡＮの接続設定を実現させるためのアプリケーションソフトウェアである。被設定クライアントとは、本実施形態において無線ＬＡＮの接続設定がなされる無線通信装置であり、図１ではデバイス４０が該当する。ただし、第１アプリケーション２２と同等の機能が、端末２０が搭載するＯＳ（Operating System）の一つの拡張機能によって実現されるとしてもよい。一方、第２アプリケーション３２は、第１設定プロトコルとは異なる第２設定プロトコルに従って被設定クライアントにおける無線ＬＡＮの接続設定を実現させるためのアプリケーションソフトウェアである。第２アプリケーション３２と同等の機能が、端末３０が搭載するＯＳの一つの拡張機能によって実現されるとしてもよい。
【００２３】
第１設定プロトコルとは、概略的には、アクセスポイント（以下、ＡＰ）として動作している被設定クライアントへＷｉ‐Ｆｉ接続し、所定のプロトコル（例えば、ＵＤＰ（User Datagram Protocol））を用いて被設定クライアントにおける無線ＬＡＮの接続設定に必要なデータ転送を実行するプロトコルである。
第２設定プロトコルとは、概略的には、ＡＰとして動作している被設定クライアントへＷｉ‐Ｆｉ接続し、前記所定のプロトコルとは異なる所定のプロトコル（例えば、ＨＴＴＰ（Hyper Text Transfer Protocol））を用いて被設定クライアントにおける無線ＬＡＮの接続設定に必要なデータ転送を実行するプロトコルである。
【００２４】
第１設定プロトコルに従って実行される通信を第１の無線接続とも呼ぶ。一方、第２設定プロトコルに従って実行される通信を第２の無線接続とも呼ぶ。従って、端末２０，３０は、第１の無線接続または第２の無線接続に対応する第１の無線通信装置である。具体的には、端末２０は、第１アプリケーション２２（あるいは第１アプリケーション２２と同等の機能）を搭載しているために、第１の無線接続に対応する第１の無線通信装置に該当する。一方、端末３０は、第２アプリケーション３２（あるいは第２アプリケーション３２と同等の機能）を搭載しているために、第２の無線接続に対応する第１の無線通信装置に該当する。
【００２５】
本実施形態では、端末２０，３０においては、ルーター５０が管理する無線ＬＡＮへの接続設定が既になされているものとする。つまり端末２０，３０は、当該無線ＬＡＮへ接続するために必要な接続設定情報を公知の手法により既に有しており、この接続設定情報を用いてルーター５０へＷｉ‐Ｆｉで接続している。ここで言う接続設定情報とは、ルーター５０を識別するためのネットワーク識別情報および、当該ネットワーク識別情報に一対一で対応付けられたパスワードを含む情報である。ネットワーク識別情報とは、例えば、ＳＳＩＤ（Service Set Identifier）である。
【００２６】
デバイス４０も端末２０，３０と同様に、例えば、ＰＣ、スマートフォン、タブレット型端末、携帯電話、あるいはそれらと同様の性能を有する端末であってもよいが、ここでは、デバイス４０は、プリンター、スキャナー、複合機（マルチファンクションプリンター）、デジタルスチルカメラ、等といった装置であるとする。デバイス４０は、制御部４１、無線通信Ｉ／Ｆ４４、表示部４５、記憶部４６等を含んで構成される。制御部４１は、例えば、ＣＰＵ、ＲＯＭ、ＲＡＭ等を有するＩＣや、その他の記憶媒体等により構成される。制御部４１では、ＣＰＵが、ＲＯＭ等に保存されたプログラムに従った演算処理を、ＲＡＭ等をワークエリアとして用いて実行することにより、デバイス４０の挙動を制御する。制御部４１は、機能の一部として、第１設定処理部４２や、第２設定処理部４３を有する。第１設定処理部４２は、第１設定プロトコルに従って送信されたデータに応じて処理を行う。一方、第２設定処理部４３は、第２設定プロトコルに基づいて送信されたデータに応じて処理を行う。
【００２７】
表示部４５は、表示部２３，３３と同様に、視覚的情報を表示するための手段である。無線通信Ｉ／Ｆ４４は、無線通信Ｉ／Ｆ２４，３４と同様に、Ｗｉ‐Ｆｉ方式による無線通信を実行可能なＩ／Ｆである。記憶部４６は、ハードディスクドライブやフラッシュメモリー等の記憶装置や、制御部４１の一部分によって構成される。
言うまでもないが、無線通信装置（２０，３０，４０）が有する図１に示した各構成は、無線通信装置（２０，３０，４０）が夫々有する構成の一部分に過ぎない。無線通信装置（２０，３０，４０）は、夫々が該当する具体的製品が有する公知の構成を有する。
【００２８】
２．第１設定プロトコルに従った処理：
次に、第１設定プロトコルに従った処理について説明する。ここでは、被設定クライアント（デバイス４０）における無線ＬＡＮの接続が未設定の状態であり、デバイス４０の無線通信Ｉ／Ｆ４４は、ＡＰとして動作しているものとする。言い換えると、デバイス４０は、ルーター５０等の無線中継装置との無線ＬＡＮの接続が未設定である場合に、状態が、無線通信Ｉ／Ｆ４４がＡＰとして動作する特定のモード（ＡＰモード）に移行する。
【００２９】
ＡＰモードにおいては、無線通信Ｉ／Ｆ４４は、例えばＷｉ‐Ｆｉ  Ｄｉｒｅｃｔ方式に従った無線通信におけるＡＰとして動作する。無線通信Ｉ／Ｆ４４は、ＡＰとしての自身が管理する無線ＬＡＮを識別するためのネットワーク識別情報を有している。Ｗｉ‐Ｆｉ  Ｄｉｒｅｃｔ方式は、Ｗｉ‐Ｆｉ方式と同様にＩＥＥＥ８０２．１１の規格群による無線通信方式でありＷｉ‐Ｆｉ  Ａｌｌｉａｎｃｅによって認証されている。
【００３０】
ＡＰモードにおいては、無線通信Ｉ／Ｆ４４は、第１の無線接続に用いられる第１識別情報および第２の無線接続に用いられる第２識別情報を含むネットワーク識別情報（ＳＳＩＤ）により識別されるＡＰとして動作する。このようにＡＰとして動作する無線通信Ｉ／Ｆ４４のＳＳＩＤを、複数形式対応ＳＳＩＤとも呼ぶ。複数形式対応ＳＳＩＤは、少なくとも第１形式のＳＳＩＤおよび第２形式のＳＳＩＤを兼ねている。
【００３１】
前記第１形式とは、第１の無線接続に対応するＳＳＩＤの形式（第１設定プロトコルに対応して予め規定されたＳＳＩＤの形式）である。第１形式のＳＳＩＤ（以下、ＳＳＩＤ‐１）は、例えば、以下のように表現される。
ＳＳＩＤ‐１＝ＡＡＢＢＢＢＣＣＤＤＤＤＤＤＤＤＤＤ
【００３２】
ＳＳＩＤ‐１の左から１，２番目の桁“ＡＡ”は、被設定クライアント（ＡＰ）が対応する設定プロトコルが何であるかを識別するための識別部分である。ここでは一例として、識別部分に“Ｐ１”と記述されている場合に、第１設定プロトコルに対応している旨を示すものとする。このような識別部分に記述され得る識別情報“Ｐ１”は、第１の無線接続に用いられる第１識別情報の一例に該当する。
ＳＳＩＤ‐１の左から３〜６番目の桁“ＢＢＢＢ”は、規定に基づいて被設定クライアントの機種を特定する情報を記述するための機種記述部分である。
ＳＳＩＤ‐１の左から７，８番目の桁“ＣＣ”は、規定に基づいて被設定クライアントの状態を示す情報を記述するための状態記述部分である。
ＳＳＩＤ‐１の左から９〜１８番目の桁“ＤＤＤＤＤＤＤＤＤＤ”は、規定の範囲で被設定クライアントが任意に記述可能な自由記述部分である。
【００３３】
前記第２形式とは、第２の無線接続に対応するＳＳＩＤの形式（第２設定プロトコルに対応して予め規定されたＳＳＩＤの形式）である。第２形式のＳＳＩＤ（以下、ＳＳＩＤ‐２）は、例えば、以下のように表現される。
ＳＳＩＤ‐２＝ＤＤＤＤＤＤＤＤＤＤＡＡＢＢＢＢＣＣ
【００３４】
ＳＳＩＤ‐２の右から８，７番目の桁“ＡＡ”は前記識別部分である。ここでは一例として、識別部分に“Ｐ２”と記述されている場合に、第２設定プロトコルに対応している旨を示すものとする。このような識別部分に記述され得る識別情報“Ｐ２”は、第２の無線接続に用いられる第２識別情報の一例に該当する。
ＳＳＩＤ‐２の右から６〜３番目の桁“ＢＢＢＢ”は前記機種記述部分である。
ＳＳＩＤ‐２の右から２，１番目の桁“ＣＣ”は前記状態記述部分である。
ＳＳＩＤ‐２の右から１８〜９番目の桁“ＤＤＤＤＤＤＤＤＤＤ”は前記自由記述部分である。
【００３５】
無線通信Ｉ／Ｆ４４は、ＡＰとして動作する自身のＳＳＩＤ（以下、ＳＳＩＤ‐ＡＰ）として、例えば、以下のようなＳＳＩＤを発行する。
ＳＳＩＤ‐ＡＰ＝Ｐ１１２３４００００Ｐ２４５６７００
【００３６】
このようなＳＳＩＤ‐ＡＰを、ＳＳＩＤ‐１として見たとき、識別部分に識別情報“Ｐ１”が記述されており、かつ自由記述部分に“００Ｐ２４５６７００”が記述されている。また、当該ＳＳＩＤ‐ＡＰを、ＳＳＩＤ‐２として見たとき、識別部分に識別情報“Ｐ２”が記述されており、かつ自由記述部分に“Ｐ１１２３４００００”が記述されている。従って、このようなＳＳＩＤ‐ＡＰは、ＳＳＩＤ‐１およびＳＳＩＤ‐２を兼ねた複数形式対応ＳＳＩＤであると言える。また、ＳＳＩＤ‐ＡＰ（複数形式対応ＳＳＩＤ）は、第１の無線接続に対応するネットワーク識別情報の記述形式（第１形式）における自由記述部分に第２識別情報（識別情報“Ｐ２”）が記述され、かつ第２の無線接続に対応するネットワーク識別情報の記述形式（第２形式）における自由記述部分に第１識別情報（識別情報“Ｐ１”）が記述されている。
【００３７】
図２は、第１設定プロトコルに従った処理を、端末２０が実行するフローチャートとデバイス４０が実行するフローチャートとにより示している。
ステップＳ１００では、端末２０の制御部２１は、第１アプリケーション２２を起動させる。制御部２１は、第１アプリケーション２２を起動させている間は、ルーター５０とのＷｉ‐Ｆｉ接続を切断するとしてもよい。
【００３８】
次に、第１アプリケーション２２（第１アプリケーション２２を実行する制御部２１、以下同様。）は、第１設定プロトコルに対応したＡＰの探索を実行する（ステップＳ１１０）。第１アプリケーション２２は、例えば、送信先を特定しない所定の探索信号を無線通信Ｉ／Ｆ２４から発信させる。ＡＰモードで動作中の被設定クライアントは、前記探索信号を受信した場合、前記探索信号への応答として、ＡＰとして動作する自身のＳＳＩＤを送信する。第１アプリケーション２２は、前記探索信号への応答としてＳＳＩＤを受信した場合、当該受信したＳＳＩＤが第１設定プロトコルに対応するＡＰのＳＳＩＤであるか否かを判定する。つまり、当該受信したＳＳＩＤをＳＳＩＤ‐１とみなしたとき、その識別部分（左から１，２番目の桁）に識別情報“Ｐ１”が記述されていれば、当該受信したＳＳＩＤが第１設定プロトコルに対応するＡＰのＳＳＩＤであると判定できる。
【００３９】
第１アプリケーション２２は、前記探索の結果、第１設定プロトコルに対応するＡＰのＳＳＩＤを１つだけ検出できた場合、つまり第１設定プロトコルに対応するＡＰを１台だけ発見できた場合に、ステップＳ１２０において“Ｙｅｓ”と判定してステップＳ１３０へ進む。一方、第１アプリケーション２２は、前記探索の結果、第１設定プロトコルに対応するＡＰのＳＳＩＤを１つも検出できないか或いは複数検出できた場合（第１設定プロトコルに対応するＡＰを１台も発見できないか或いは複数台発見できた場合）、ステップＳ１２０において“Ｎｏ”と判定し、ステップＳ１３０，Ｓ１４０をスキップしてステップＳ１５０へ進む。
【００４０】
ここで一例として、第１アプリケーション２２は、あるデバイスのメーカー（例えば、プリンターメーカー）が、ある特定の機種のデバイス（例えば、ある機種のプリンター）の無線ＬＡＮ接続設定のために、当該機種のデバイスを購入したユーザー向けにリリースしたアプリケーションであると想定する。この場合、第１アプリケーション２２は、一度に１台のデバイス（被設定クライアント）を対象として無線ＬＡＮ接続設定を行う。そのため、第１アプリケーション２２は、ステップＳ１１０，Ｓ１２０では、第１設定プロトコルに対応するＡＰを１台だけ発見できた場合に、ステップＳ１３０へ進むようにしている。
【００４１】
第１アプリケーション２２は、ステップＳ１１０，Ｓ１２０では、第１設定プロトコルに対応し且つ前記特定の機種に該当するＡＰを１台だけ発見できた場合に限り、ステップＳ１３０へ進むとしてもよい。第１アプリケーション２２は、前記探索信号への応答として受信したＳＳＩＤをＳＳＩＤ‐１とみなしたとき、その識別部分（左から１，２番目の桁）に識別情報“Ｐ１”が記述されており、且つ、その機種記述部分（左から３〜６番目の桁）に第１アプリケーション２２に対応する前記特定の機種に割り当てられている既知の機種番号（型番号）が記述されていれば、当該受信したＳＳＩＤが第１設定プロトコルに対応し且つ前記特定の機種に該当するＡＰのＳＳＩＤであると判定できる。
【００４２】
ここでは、デバイス４０は、第１アプリケーション２２に対応する前記特定の機種であるとする。そして、ステップＳ１３０〜を説明する前提として、第１アプリケーション２２は、前記探索信号への応答としてデバイス４０の無線通信Ｉ／Ｆ４４から受信したＳＳＩＤ（ＳＳＩＤ‐ＡＰ）を、第１設定プロトコルに対応し且つ前記特定の機種に該当するＡＰのＳＳＩＤであると判定し、そのようなＡＰを１台だけ発見した（ステップＳ１２０において“Ｙｅｓ”と判定した）と仮定する。
【００４３】
ステップＳ１３０では、第１アプリケーション２２は、上述のように発見した１台のＡＰへの無線接続を無線通信Ｉ／Ｆ２４に実行させる（ステップＳ１３０）。つまり、無線通信Ｉ／Ｆ２４は、前記探索信号への応答として受信したＳＳＩＤ‐ＡＰにより識別されるＡＰ（デバイス４０の無線通信Ｉ／Ｆ４４）へＷｉ‐Ｆｉにより接続する。その上で、第１アプリケーション２２は、ＵＤＰを用いて、無線通信Ｉ／Ｆ２４を介して無線通信Ｉ／Ｆ４４へ無線ＬＡＮ設定要求を送信する（ステップＳ１４０）。第１アプリケーション２２は、無線ＬＡＮ設定要求には被設定クライアント（デバイス４０）における無線ＬＡＮ接続設定に必要なデータ、つまり接続設定情報（ルーター５０を識別するためのＳＳＩＤおよび、当該ＳＳＩＤに対応付けられたパスワード）を含ませる。
【００４４】
また、第１アプリケーション２２は、前記無線ＬＡＮ設定要求には、ＵＤＰに対応する予め定められたポート番号を付し、そのように生成した無線ＬＡＮ設定要求（パケット）を、無線通信Ｉ／Ｆ２４から無線通信Ｉ／Ｆ４４へ送信させる。前記探索により第１アプリケーション２２が無線接続先としたＡＰ（無線通信Ｉ／Ｆ４４）のＳＳＩＤ‐ＡＰには、第１識別情報（識別情報“Ｐ１”）が含まれている。従って、端末２０（第１の無線通信装置）は、ネットワーク識別情報に含まれる第１識別情報に基づいてデバイス４０（第２の無線通信装置）と無線接続するとも言える。
【００４５】
ステップＳ１４０による無線ＬＡＮ設定要求の送信後、制御部２１は、第１アプリケーション２２を終了させる（ステップ１５０）。これにより、端末２０側の処理（図２）が終了する。なお、ステップＳ１２０からステップＳ１３０，Ｓ１４０をスキップしてステップＳ１５０へ進む場合、第１アプリケーション２２は、被設定クライアントの探索に失敗した旨や被設定クライアントの無線ＬＡＮ接続設定に失敗した旨を通知するためのエラーメッセージを、表示部２３に表示させた上で終了してもよい。また、このようなメッセージは、端末２０が有する不図示のスピーカーから音声により出力してもよい。
【００４６】
デバイス４０側では、受信した無線ＬＡＮ設定要求に基づく無線ＬＡＮの接続設定処理を実行する（ステップＳ２００）。先ず、無線通信Ｉ／Ｆ４４は、受信した無線ＬＡＮ設定要求に付されているポート番号に従って、無線ＬＡＮ設定要求を第１設定処理部４２または第２設定処理部４３に振り分ける。無線ＬＡＮ設定要求に付されているポート番号がＵＤＰに対応する予め定められたポート番号であれば、この無線ＬＡＮ設定要求を第１設定処理部４２へ振り分ける。
【００４７】
第１設定処理部４２は、無線通信Ｉ／Ｆ４４から振り分けられた無線ＬＡＮ設定要求に含まれている接続設定情報を、記憶部４６の所定領域に書き込む。これにより、デバイス４０において無線ＬＡＮ接続設定が完了したことになる。なお、デバイス４０では、制御部４１は、無線ＬＡＮ設定要求を受信してから当該無線ＬＡＮ設定要求に基づく無線ＬＡＮ接続設定が完了するまでの間、表示部４５に、無線ＬＡＮ接続設定を現在実行中である旨の所定のメッセージを表示させるとしてもよい。
【００４８】
無線ＬＡＮ接続設定の完了後、無線通信Ｉ／Ｆ４４は、ＡＰモードからＷｉ‐Ｆｉモードへ移行する。Ｗｉ‐Ｆｉモードへ移行した無線通信Ｉ／Ｆ４４は、記憶部４６の前記所定領域に書き込まれた接続設定情報に基づいてルーター５０へ無線接続する（ステップＳ２１０）。つまり、無線通信Ｉ／Ｆ４４は、ＡＰとして動作することを終えてルーター５０へＷｉ‐Ｆｉ接続する。この結果、デバイス４０は、ルーター５０が管理する無線ＬＡＮに参加している他の無線通信装置（端末２０等）と、ルーター５０を介して無線通信することが可能となる。
【００４９】
３．第２設定プロトコルに従った処理：
次に、第２設定プロトコルに従った処理について説明する。ここでも、被設定クライアント（デバイス４０）における無線ＬＡＮの接続は未設定の状態であり、デバイス４０の無線通信Ｉ／Ｆ４４はＡＰモードで動作しているものとする。
【００５０】
図３は、第２設定プロトコルに従った処理を、端末３０が実行するフローチャートとデバイス４０が実行するフローチャートとにより示している。
ステップＳ３００では、端末３０の制御部３１は、第２アプリケーション３２を起動させる。制御部３１は、第２アプリケーション３２を起動させている間は、ルーター５０とのＷｉ‐Ｆｉ接続を切断するとしてもよい。
【００５１】
次に、第２アプリケーション３２（第２アプリケーション３２を実行する制御部３１、以下同様。）は、第２設定プロトコルに対応したＡＰの探索を実行する（ステップＳ３１０）。第２アプリケーション３２は、例えば、送信先を特定しない所定の探索信号を無線通信Ｉ／Ｆ３４から発信させる。ＡＰモードで動作中の被設定クライアントは、前記探索信号を受信した場合、前記探索信号への応答として、ＡＰとして動作する自身のＳＳＩＤを送信する。第２アプリケーション３２は、前記探索信号への応答としてＳＳＩＤを受信した場合、当該受信したＳＳＩＤが第２設定プロトコルに対応するＡＰのＳＳＩＤであるか否かを判定する。つまり、当該受信したＳＳＩＤをＳＳＩＤ‐２とみなしたとき、その識別部分（右から８，７番目の桁）に識別情報“Ｐ２”が記述されていれば、当該受信したＳＳＩＤが第２設定プロトコルに対応するＡＰのＳＳＩＤであると判定できる。
【００５２】
第２アプリケーション３２は、前記探索の結果、第２設定プロトコルに対応するＡＰのＳＳＩＤを１つ以上検出できた場合、つまり第２設定プロトコルに対応するＡＰを１台以上発見できた場合に、ステップＳ３２０において“Ｙｅｓ”と判定してステップＳ３３０へ進む。一方、第２アプリケーション３２は、前記探索の結果、第２設定プロトコルに対応するＡＰのＳＳＩＤを１つも検出できない場合（第２設定プロトコルに対応するＡＰを１台も発見できない場合）、ステップＳ３２０において“Ｎｏ”と判定し、ステップＳ３３０〜Ｓ３９０をスキップしてステップＳ４００へ進む。
【００５３】
ここでは、ステップＳ３３０〜を説明する前提として、第２アプリケーション３２は、前記探索信号への応答としてデバイス４０の無線通信Ｉ／Ｆ４４から受信したＳＳＩＤ（ＳＳＩＤ‐ＡＰ）を、第２設定プロトコルに対応するＡＰのＳＳＩＤであると判定し、そのようなＡＰを発見した（ステップＳ３２０において“Ｙｅｓ”と判定した）と仮定する。
【００５４】
ステップＳ３３０では、第２アプリケーション３２は、上述のように発見した１台以上のＡＰを、表示部３３にリスト表示する。例えば、第２アプリケーション３２は、上述のように発見したＡＰ毎のＳＳＩＤや把握できる範囲での機種名等を列挙する。そして、第２アプリケーション３２は、リスト表示した１台以上のＡＰの中から１台のＡＰの選択を受け付ける（ステップＳ３４０）。つまりユーザーは、端末３０の表示部３３を見ながら不図示の入力手段（タッチパネル、物理ボタン、マウス、キーボード等）を操作することにより、前記リスト表示された１台以上のＡＰの中から被設定クライアントとしたい１つの対象を任意に選択し、その選択の旨を端末３０へ指示する。ここでは、ユーザーは、前記リスト表示された１台以上のＡＰの中からデバイス４０を選択したものとする。
【００５５】
第２アプリケーション３２は、上記のように選択された１台のＡＰへの無線接続を無線通信Ｉ／Ｆ３４に実行させる（ステップＳ３５０）。つまり、無線通信Ｉ／Ｆ３４は、ＳＳＩＤ‐ＡＰにより識別されるＡＰ（デバイス４０の無線通信Ｉ／Ｆ４４）へＷｉ‐Ｆｉにより接続する。その上で、第２アプリケーション３２は、ＨＴＴＰを用いて、無線通信Ｉ／Ｆ３４を介して無線通信Ｉ／Ｆ４４へ無線ＬＡＮの設定開始要求を送信する（ステップＳ３６０）。第２アプリケーション３２は、ＨＴＴＰを用いて送信するデータ（パケット）には、ＨＴＴＰに対応する予め定められたポート番号を付す。
【００５６】
デバイス４０側では、無線通信Ｉ／Ｆ４４は、受信した無線ＬＡＮの設定開始要求に付されているポート番号に従って、当該設定開始要求を第１設定処理部４２または第２設定処理部４３に振り分ける。当該設定開始要求に付されているポート番号はＨＴＴＰに対応する予め定められたポート番号であるため、当該設定開始要求を第２設定処理部４３へ振り分ける。
【００５７】
第２設定処理部４３は、無線通信Ｉ／Ｆ４４から無線ＬＡＮの設定開始要求を得た場合に、認証用のパスワードを生成して表示部４５に表示させる（ステップＳ５００）。ステップＳ５００で第２設定処理部４３が生成する認証用のパスワードは、文字（数字やアルファベット等）がランダムに並んだ一時的に使用されるものである。
【００５８】
ステップＳ３６０で無線ＬＡＮの設定開始要求を送信した後、第２アプリケーション３２は、認証用のパスワードの入力を受け付ける（ステップＳ３７０）。つまりユーザーは、デバイス４０の表示部４５に表示された認証用のパスワードを、端末３０の不図示の入力手段を操作することにより、端末３０へ入力する。なお、第２アプリケーション３２は、ステップＳ３３０でＡＰをリスト表示した状態で所定時間以上、ＡＰの選択を受け付けることができなかった場合や、ステップＳ３６０で無線ＬＡＮの設定開始要求を送信した後、所定時間以上、認証用のパスワードの入力を受け付けることができなかった場合、それ以降の処理をスキップしてステップＳ４００へ進んでもよい。
【００５９】
ステップＳ３８０では、第２アプリケーション３２は、ＨＴＴＰを用いて、無線通信Ｉ／Ｆ３４を介して無線通信Ｉ／Ｆ４４へ認証要求を送信する。第２アプリケーション３２は、当該認証要求にはステップＳ３７０で入力された認証用のパスワードを含ませる。
【００６０】
デバイス４０側では、無線通信Ｉ／Ｆ４４は、受信した認証要求に付されているポート番号に従って、この認証要求を第２設定処理部４３へ振り分ける。第２設定処理部４３は、無線通信Ｉ／Ｆ４４から認証要求を得た場合に、この認証要求に含まれている認証用のパスワードと、ステップＳ５００で生成した認証用のパスワードとが一致するか否か比較する。そして、当該比較の結果が一致する場合に、認証要求を受け入れる（認証）。一方、当該比較結果が一致しない場合に、認証要求を却下する（不認証）。第２設定処理部４３は、このような認証または不認証の判断を行い、その結果を、無線通信Ｉ／Ｆ４４を介して、前記認証要求への応答として端末３０の無線通信Ｉ／Ｆ３４へ送信する（ステップＳ５１０）。
【００６１】
第２アプリケーション３２は、前記認証要求への応答として認証を受けた場合、ＨＴＴＰを用いて、無線通信Ｉ／Ｆ３４を介して無線通信Ｉ／Ｆ４４へ無線ＬＡＮ設定要求を送信する（ステップＳ３９０）。第２アプリケーション３２は、無線ＬＡＮ設定要求には被設定クライアント（デバイス４０）における無線ＬＡＮ接続設定に必要なデータ、つまり接続設定情報（ルーター５０を識別するためのＳＳＩＤおよび、当該ＳＳＩＤに対応付けられたパスワード）を含ませる。前記探索の後、第２アプリケーション３２が無線接続先としたＡＰ（無線通信Ｉ／Ｆ４４）のＳＳＩＤ‐ＡＰには、第２識別情報（識別情報“Ｐ２”）が含まれている。従って、端末３０（第１の無線通信装置）は、ネットワーク識別情報に含まれる第２識別情報に基づいてデバイス４０（第２の無線通信装置）と無線接続するとも言える。なお、第２アプリケーション３２は、前記認証要求への応答として不認証を受けた場合は、ステップＳ３９０をスキップしてステップＳ４００へ進む。
【００６２】
ステップＳ３９０による無線ＬＡＮ設定要求の送信後、制御部３１は、第２アプリケーション３２を終了させる（ステップ４００）。これにより、端末３０側の処理（図３）が終了する。ステップＳ３２０からステップＳ３３０以降をスキップしてステップＳ４００へ進む場合、第２アプリケーション３２は、被設定クライアントの探索に失敗した旨や被設定クライアントの無線ＬＡＮの接続設定に失敗した旨を通知するためのエラーメッセージを、表示部３３に表示させた上で終了してもよい。当然、第２アプリケーション３２は、上述したようにＡＰの選択を受け付けることができなかった場合や、認証用のパスワードの入力を受け付けることができなかった場合や、前記認証要求への応答として不認証を受けた場合にも、それぞれに対応する所定のエラーメッセージを表示部３３に表示させた上で処理を終了してもよい。また、このようなメッセージは、端末３０が有する不図示のスピーカーから音声により出力してもよい。
【００６３】
デバイス４０側では、受信した無線ＬＡＮ設定要求に基づく無線ＬＡＮの接続設定処理を実行する（ステップＳ５２０）。無線通信Ｉ／Ｆ４４は、受信した無線ＬＡＮ設定要求に付されているポート番号に従って、無線ＬＡＮ設定要求を第２設定処理部４３に振り分ける。第２設定処理部４３は、無線通信Ｉ／Ｆ４４から振り分けられた無線ＬＡＮ設定要求に含まれている接続設定情報を、記憶部４６の所定領域に書き込む。これにより、デバイス４０において無線ＬＡＮ接続設定が完了したことになる。上述したように、デバイス４０では、制御部４１は、無線ＬＡＮ設定要求を受信してから当該無線ＬＡＮ設定要求に基づく無線ＬＡＮ接続設定が完了するまでの間、表示部４５に、無線ＬＡＮ接続設定を現在実行中である旨の所定のメッセージを表示させるとしてもよい。
【００６４】
無線ＬＡＮ接続設定の完了後、無線通信Ｉ／Ｆ４４は、ＡＰモードからＷｉ‐Ｆｉモードへ移行する。Ｗｉ‐Ｆｉモードへ移行した無線通信Ｉ／Ｆ４４は、記憶部４６の前記所定領域に書き込まれた接続設定情報に基づいてルーター５０へ無線接続する（ステップＳ５３０）。つまり、無線通信Ｉ／Ｆ４４は、ＡＰとして動作することを終えてルーター５０へＷｉ‐Ｆｉ接続する。この結果、デバイス４０は、ルーター５０が管理する無線ＬＡＮに参加している他の無線通信装置（端末３０等）と、ルーター５０を介して無線通信することが可能となる。
【００６５】
４．まとめ：
このように本実施形態によれば、無線通信システムは、第１の無線接続または第２の無線接続に対応する第１の無線通信装置（端末２０，３０の少なくともどちらか）と、第１の無線接続に用いられる第１識別情報および第２の無線接続に用いられる第２識別情報を含むネットワーク識別情報（例えば、識別情報“Ｐ１”および識別情報“Ｐ２”を含むＳＳＩＤ‐ＡＰ）により識別されるＡＰとして動作する第２の無線通信装置（デバイス４０）とを含む。そして、第１の無線通信装置は、前記ネットワーク識別情報（ＳＳＩＤ‐ＡＰ）に含まれる第１識別情報または第２識別情報に基づいて第２の無線通信装置と無線接続する。つまり、第１の無線接続に対応している第１の無線通信装置（第１アプリケーション２２を搭載している端末２０）であれば、デバイス４０のＳＳＩＤ‐ＡＰに含まれる第１識別情報（識別情報“Ｐ１”）に基づいて、このデバイス４０を第１設定プロトコルに対応した接続先のＡＰとして認識し、無線接続することができる。一方、第２の無線接続に対応している第１の無線通信装置（第２アプリケーション３２を搭載している端末３０）であれば、デバイス４０のＳＳＩＤ‐ＡＰに含まれる第２識別情報（識別情報“Ｐ２”）に基づいて、このデバイス４０を第２設定プロトコルに対応した接続先のＡＰとして認識し、無線接続することができる。このように、第２の無線通信装置（デバイス４０）を複数の異なる無線接続に対応させることにより、第１の無線通信装置と第２の無線通信装置との無線接続を利用するユーザーの利便性が向上する。
【００６６】
また本実施形態では、ＡＰとして動作するデバイス４０のＳＳＩＤ‐ＡＰは、第１の無線接続に対応するＳＳＩＤの記述形式（第１形式）における自由記述部分に第２識別情報（識別情報“Ｐ２”）が記述され、かつ第２の無線接続に対応するＳＳＩＤの記述形式（第２形式）における自由記述部分に第１識別情報（識別情報“Ｐ１”）が記述されている。つまり、ＡＰとして動作するデバイス４０のＳＳＩＤ‐ＡＰに、実質的に２種類のネットワーク識別情報の役割を持たせることができる。これにより、第１の無線接続に対応している第１の無線通信装置（第１アプリケーション２２を搭載している端末２０）であれば、デバイス４０のＳＳＩＤ‐ＡＰを、ＳＳＩＤ‐１とみなし、このＳＳＩＤ‐１の自由記述部分（第２識別情報が記述されている部分）の影響を受けずに、このＳＳＩＤ‐１に含まれる第１識別情報に基づいて、デバイス４０を第１設定プロトコルに対応したＡＰとして認識する。一方、第２の無線接続に対応している第１の無線通信装置（第２アプリケーション３２を搭載している端末３０）であれば、デバイス４０のＳＳＩＤ‐ＡＰを、ＳＳＩＤ‐２とみなし、このＳＳＩＤ‐２の自由記述部分（第１識別情報が記述されている部分）の影響を受けずに、このＳＳＩＤ‐２に含まれる第２識別情報に基づいて、デバイス４０を第２設定プロトコルに対応したＡＰとして認識する。
【００６７】
また本実施形態では、第１の無線通信装置は、外部の無線中継装置（ルーター５０）に接続するための接続設定情報を、第２の無線通信装置との無線接続により第２の無線通信装置へ送信し、第２の無線通信装置は、第１の無線通信装置から送信された接続設定情報に基づいてルーター５０を介して第１の無線通信装置と無線通信する。つまりユーザーは、第１の無線接続に対応する第１の無線通信装置（端末２０）と、第２の無線接続に対応する第１の無線通信装置（端末３０）のいずれか一方を有していれば、第１の無線通信装置と第２の無線通信装置との無線接続を利用して第２の無線通信装置にルーター５０へ接続するための無線ＬＡＮ接続設定をさせることができ、ユーザーの利便性が向上する。
【００６８】
また本実施形態では、第２の無線通信装置は、無線中継装置（ルーター５０）との接続が未設定である場合に、ＡＰモードへ移行し、第１識別情報および第２識別情報を含むネットワーク識別情報（ＳＳＩＤ‐ＡＰ）により識別されるＡＰとして動作する。これにより、ルーター５０との接続が未設定である第２の無線通信装置は、ＡＰとして一時的に振る舞うことで第１の無線通信装置から受信する前記接続設定情報に基づいて、ルーター５０へ接続するための無線ＬＡＮ接続設定を容易かつ確実に実行することができる。
【００６９】
５．変形例：
本発明は、これまで説明した実施形態に限定されず、例えば、以下に説明する各変形例を採用することができる。
【００７０】
第１の無線通信装置は、上述したように第１の無線接続および第２の無線接続のうちいずれか一方に対応していることもあれば、第１の無線接続および第２の無線接続のいずれにも対応していることもある。例えば、端末２０の制御部２１が第１アプリケーション２２および第２アプリケーション３２を搭載している場合が想定される。このような場合、端末２０の制御部２１は、先ずステップＳ１００〜Ｓ１２０（図２）を実行する。そして、ステップＳ１２０において“Ｎｏ”と判定した場合、第１設定プロトコルに対応するＡＰを複数台発見したのであれば、ステップＳ１５０で第１アプリケーション２２を終了した後、ステップＳ３００以降の処理（図３）を実行する。
【００７１】
つまり、第１の無線通信装置（例えば端末２０）は、第１の無線接続および第２の無線接続に対応している場合に、第１識別情報を含むネットワーク識別情報を探索する第１の探索（ステップＳ１１０）を実行し、当該第１の探索により、第１識別情報を含むネットワーク識別情報を１つ検出した場合（ステップＳ１２０において“Ｙｅｓ”）、当該検出したネットワーク識別情報（ＳＳＩＤ‐ＡＰ）によって識別される第２の無線通信装置（デバイス４０）と無線接続する（ステップＳ１３０，Ｓ１４０）。一方、第１の無線通信装置（端末２０）は、前記第１の探索により、第１識別情報を含むネットワーク識別情報を複数検出した場合には（ステップＳ１２０において“Ｎｏ”）、第２識別情報を含むネットワーク識別情報を探索する第２の探索（ステップＳ３１０）を実行し、当該第２の探索により検出した第２識別情報を含むネットワーク識別情報を所定の表示部２３にリスト表示させる（ステップＳ３３０）。このような構成によれば、第１の無線接続および第２の無線接続のいずれにも対応している第１の無線通信装置による第２の無線通信装置への無線接続の具体的工程の一つを提示することができる。また、このような構成によれば、最終的に第２の無線通信装置（デバイス４０）においてルーター５０へ接続するための無線ＬＡＮ接続設定に成功する可能性が高まる。
【００７２】
あるいは、第１の無線通信装置は、第１の無線接続および第２の無線接続に対応している場合に、第１識別情報および第２識別情報を含むネットワーク識別情報を検出したら、第１の無線接続および第２の無線接続のうちセキュリティの程度が相対的に高い接続として予め定められている方の接続により、前記検出したネットワーク識別情報によって識別される第２の無線通信装置と無線接続するとしてもよい。
【００７３】
例えば、端末２０の制御部２１が第１アプリケーション２２および第２アプリケーション３２を搭載している場合を再び想定する。このような場合、端末２０の制御部２１は、ステップＳ１００〜Ｓ１２０（図２）を実行し、ステップＳ１２０において“Ｙｅｓ”と判定したとき、発見した１台のＡＰのＳＳＩＤをＳＳＩＤ‐２とみなして識別部分（右から８，７番目の桁）に識別情報“Ｐ２”が記述されているか否かを更に判定する。そして、当該識別部分（右から８，７番目の桁）に識別情報“Ｐ２”が記述されている場合、当該発見した１台のＡＰのＳＳＩＤが、第１識別情報および第２識別情報を含むネットワーク識別情報であると判断できる。制御部２１は、このように第１識別情報および第２識別情報を含むネットワーク識別情報を検出できた場合、当該ネットワーク識別情報により識別されるＡＰ（デバイス４０）を対象として第１の無線接続つまりステップＳ１３０，Ｓ１４０を実行するのではなく、替わりに、当該ネットワーク識別情報により識別されるＡＰ（デバイス４０）を対象として、よりセキュリティの強度が高い第２の無線接続（ステップＳ３５０〜Ｓ３９０）を実行する。このような構成によれば、第１の無線接続および第２の無線接続のいずれにも対応している第１の無線通信装置による第２の無線通信装置へのより安全な無線接続の具体的工程の一つを提示することができる。
【００７４】
これまでに挙げたＵＤＰやＨＴＴＰといった各プロトコルはあくまで例に過ぎない。本実施形態ではこれらに替えて、ＴＣＰ（Transmission Control Protocol）等の他のプロトコルを、被設定クライアントにおける無線ＬＡＮ接続設定に必要なデータ転送に採用してもよい。
【符号の説明】
【００７５】
１０…システム、２０…端末、２１…制御部、２２…第１アプリケーション、２３…表示部、２４…無線通信Ｉ／Ｆ、３０…端末、３１…制御部、３２…第２アプリケーション、３３…表示部、３４…無線通信Ｉ／Ｆ、４０…デバイス、４１…制御部、４２…第１設定処理部、４３…第２設定処理部、４４…無線通信Ｉ／Ｆ、４５…表示部、４６…記憶部、５０…ルーター、６０…サーバー、ＮＷ…ネットワーク
【図１】
2018007148.tif 000003
【図２】
2018007148.tif 000004
【図３】
2018007148.tif 000005